(57)【特許請求の範囲】
【請求項１】
基本セグメント及び拡張セグメントを含む複数のセグメントに分割されたＯＦＤＭ信号を受信するＯＦＤＭ受信装置であって、
復号対象セグメントのＯＦＤＭ信号を前記ＯＦＤＭから抽出するバンドパスフィルタを有し、前記復号対象セグメントのＯＦＤＭ信号を復調するように構成されており、前記複数のセグメントのそれぞれに対応する複数のセグメント復調回路と、
前記複数のセグメント復調回路の中から、動作対象セグメント復調回路を選択する制御回路とを備えており、
前記複数のセグメントは、第１放送サービス及び第２放送サービスのいずれかに属しており、
前記制御回路は、前記第１放送サービス及び前記第２放送サービスに属する前記基本セグメントのみを受信する第１受信モードと、前記第１放送サービス及び前記第２放送サービスに属する前記基本セグメント及び前記拡張セグメントを受信する第２受信モードと、前記第１放送サービスに属する前記基本セグメントのみを受信して、前記第２放送サービスに属する前記基本セグメント及び前記拡張セグメントを受信する第３受信モードと、前記第１放送サービスに属する前記基本セグメント及び前記拡張セグメントを受信して、前記第２放送サービスに属する前記基本セグメントのみを受信する第４受信モードとを有しており、
前記制御回路は、前記第１受信モード、前記第２受信モード、前記第３受信モード及び前記第４受信モードのいずれかに基づいて、前記動作対象セグメント復調回路を選択し、
前記制御回路は、前記動作対象セグメント復調回路以外の非動作対象セグメントの動作を停止することを特徴とするＯＦＤＭ受信装置。
【請求項２】
前記複数のセグメント復調回路のうち、少なくとも２つの動作対象セグメント復調回路を動作させる場合に、前記少なくとも２つの動作対象セグメント復調回路によって復調されたセグメントを結合するセグメント結合回路を更に備えることを特徴とする請求項１に記載のＯＦＤＭ受信装置。
【請求項３】
請求項１に記載のＯＦＤＭ受信装置と、前記動作対象セグメント復調回路によって復調されたセグメントに基づいて、映像の表示又は音声の出力の少なくとも一方を行う出力装置とを備えることを特徴とする地上デジタル放送受信端末。
【請求項４】
請求項１に記載のＯＦＤＭ受信装置を備えることを特徴とする地上デジタル放送受信チューナ。
【発明の詳細な説明】
【技術分野】
【０００１】
本発明は、直交周波数分割多重（Orthogonal Frequency Division Multiplex；ＯＦＤＭ）伝送方式で伝送される地上デジタル放送信号を受信するＯＦＤＭ受信装置、地上デジタル放送受信端末、及び地上デジタル放送受信チューナに関する。
【背景技術】
【０００２】
近年、移動体向けのデジタル音声放送や、地上系のデジタルテレビ放送において、ＯＦＤＭ伝送方式が注目されている。このＯＦＤＭ伝送方式は、送信側では、伝送するデジタルデータを互いに直交する多数の副搬送波（以下、「サブキャリア」という）で変調し、逆高速フーリエ変換（ＩＦＦＴ）処理により、周波数領域から時間領域の信号に変換し、受信側では高速フーリエ変換（ＦＦＴ）処理により時間領域から周波数領域の信号に変換する伝送方式である。使用するサブキャリアの数が数百〜数千と多くなると、各々の変調波のシンボル周期が極めて長くなるため、ＯＦＤＭ伝送方式はマルチパス干渉の影響を受け難いという特徴を有している。
【０００３】
国内地上波デジタル放送であるＩＳＤＢ−Ｔ(Integrated Services Digital Broadcasting - Terrestrial)では、６ＭＨｚの帯域幅を１３個のセグメントに分割し、セグメント毎に搬送波の変調方式等を変更可能とする階層伝送が採用されている（例えば、非特許文献１参照。）。階層伝送により、固定機器向けの放送サービスと携帯機器向けの放送サービスとを同時に提供することができる。地上波デジタル放送では、１３個のセグメントのうちの中央に配置される１セグメントを携帯機器向け放送に使用する。
【０００４】
一方、国内地上波デジタル音声放送であるＩＳＤＢ−ＴＳＢ（integrated services digital broadcasting terrestrial for sound broadcasting）では、使用するチャンネルにより、８個又は１３個のセグメントで放送を行うが、１つの放送サービスは１又は３セグメントとし、複数の放送サービスを多重して８個又は１３個のセグメントを形成し放送する「連結送信」と呼ばれる方式を採用している（例えば、非特許文献２参照。）。３セグメント方式では、中央の１セグメントと両側の２セグメントでは別の階層構成として異なるサービスを行う仕様となっている。３セグメント方式においても中央の１セグメントは１セグメント専用受信機でも受信可能なシステム仕様になっている。
【０００５】
更に、１セグメント方式の放送サービスを２つと、３セグメント方式の放送サービスを２つ用いる８セグメントのデジタル音声放送が提案されている（例えば、非特許文献３参照。）。この方式では同一チャンネルで多様な放送サービスが実現できる。
【非特許文献１】映像情報メディア学会誌Vol.52、No.11,pp1562-1566(1998)
【非特許文献２】映像情報メディア学会誌Vol.53、No.11,pp1467-1471(1999)
【非特許文献３】「デジタル時代のラジオ放送の将来像に関する懇談会」報告書要旨（案），総務省，２００５年５月
【発明の開示】
【発明が解決しようとする課題】
【０００６】
３セグメント方式では、１シンボル当たりキャリア数１２９７本を使用して送信されるが、デジタル音声放送の連結送信を行う場合、送信側では、連結するセグメントに含まれるキャリア数に応じたＩＦＦＴを１つ用いて周波数領域から時間領域の送信信号に変換する。
【０００７】
これに対して受信側では、マルチキャリアを受信するため、ＦＦＴを用いて時間領域から周波数領域へ受信信号を変換し、復調処理を行う。ＦＦＴでは２の乗数という単位での計算処理となるため、１２９７本のサブキャリアをＦＦＴ処理するために必要なＦＦＴの最小ポイント数は２０４８ポイントとなる。したがって、処理効率が１２９７/２０４８＝６３％となり、４割近くの冗長な処理を含んでしまうという問題がある。
【０００８】
また、従来の３セグメント受信端末で１セグメント受信を行う場合、３セグメント分の信号処理回路のうち、１セグメント分の信号処理に使用する部分のみ動作させれば低消費電力化が可能であるが、回路を細かく制御する必要がある。回路を細かく制御するため、回路構成が複雑化し、回路規模等が増加することとなる。
【０００９】
以上のように、従来の３セグメント受信端末で３セグメント受信する場合、送信キャリアの本数上、受信装置でのＦＦＴ処理に冗長な部分が含まれてしまう。また、１セグメント受信する場合、必要な回路のみ動作させて低消費電力化するために、複雑な回路構成が必要である。
【００１０】
上記問題点を鑑み、本発明は、回路規模の増大を抑制しながらも消費電力を削減可能なＯＦＤＭ受信装置、地上デジタル放送受信端末、及び地上デジタル放送受信チューナを提供することを目的とする。
【課題を解決するための手段】
【００１１】
上記目的を達成するために、本発明の第１の特徴は、複数のセグメントに分割されたＯＦＤＭ信号を受信するＯＦＤＭ受信装置であって、複数のセグメントをそれぞれＯＦＤＭ復調する複数のセグメント復調回路と、複数のセグメント復調回路のうち、動作させるセグメント復調回路を選択し、非選択のセグメント復調回路の動作を停止させる制御回路とを備えるＯＦＤＭ受信装置であることを要旨とする。
【００１２】
本発明の第２の特徴は、第１の特徴に係るＯＦＤＭ受信装置において、複数のセグメント復調回路の少なくとも２つを動作させる場合に、ＯＦＤＭ復調後の各セグメントを結合するセグメント結合回路を更に備えることを要旨とする。
【００１３】
本発明の第３の特徴は、第１又は第２の特徴に係るＯＦＤＭ受信装置において、複数のセグメント復調回路は、複数のセグメントのうちの基本セグメントをＯＦＤＭ復調する第１セグメント復調回路と、基本セグメントと階層の異なる２つの拡張セグメントをＯＦＤＭ復調する第２及び第３セグメント復調回路とを備え、制御回路は、基本セグメントのみを受信する場合、第１セグメント復調回路を動作させ、第２及び第３セグメント復調回路の動作を停止させることを要旨とする。
【００１４】
本発明の第４の特徴は、第１又は第２の特徴に係るＯＦＤＭ受信装置において、複数のセグメントのそれぞれは、複数の放送サービスのいずれかに属しており、制御回路は、複数の放送サービスの一部のみを受信する場合、受信しない放送サービスに属する各セグメントをＯＦＤＭ復調するためのセグメント復調回路の動作を停止させることを要旨とする。
【００１５】
本発明の第５の特徴は、第４の特徴に係るＯＦＤＭ受信装置において、複数のセグメント復調回路は、第１放送サービスに属する複数のセグメントの基本セグメントである第１基本セグメントをＯＦＤＭ復調する第１セグメント復調回路と、第１放送サービスに属する複数のセグメントのうち、第１基本セグメントと階層の異なる第２及び第３拡張セグメントをそれぞれＯＦＤＭ復調する第２及び第３セグメント復調回路と、第２放送サービスに属する複数のセグメントの基本セグメントである第２基本セグメントをＯＦＤＭ復調する第４セグメント復調回路と、第２放送サービスに属する複数のセグメントのうち、第２基本セグメントと階層の異なる第４及び第５拡張セグメントをそれぞれＯＦＤＭ復調する第５及び第６セグメント復調回路とを備えることを要旨とする。
【００１６】
本発明の第６の特徴は、ＯＦＤＭ伝送方式で伝送されるデジタル放送信号を受信するアンテナと、アンテナからの受信信号を所定の周波数帯域に制限するチューナと、所定の周波数帯域に制限された受信信号をデジタル化するＡ／Ｄ変換器と、デジタル化された受信信号に含まれる複数のセグメントをそれぞれＯＦＤＭ復調する複数のセグメント復調回路と、複数のセグメント復調回路のうち、動作させるセグメント復調回路を選択し、非選択のセグメント復調回路の動作を停止させる制御回路と、ＯＦＤＭ復調後の受信信号に基づき、映像の表示又は音声の出力の少なくとも一方を行う出力装置とを備える地上デジタル放送受信端末であることを要旨とする。
【００１７】
本発明の第７の特徴は、受信信号を所定の周波数帯域に制限するチューナと、所定の周波数帯域に制限された受信信号をデジタル化するＡ／Ｄ変換器と、デジタル化された受信信号に含まれる複数のセグメントをそれぞれＯＦＤＭ復調する複数のセグメント復調回路と、複数のセグメント復調回路のうち、動作させるセグメント復調回路を選択し、非選択のセグメント復調回路の動作を停止させる制御回路とを備える地上デジタル放送受信チューナであることを要旨とする。
【発明の効果】
【００１８】
本発明によれば、回路規模の増大を抑制しながらも消費電力を削減可能なＯＦＤＭ受信装置、地上デジタル放送受信端末、及び地上デジタル放送受信チューナを提供できる。
【発明を実施するための最良の形態】
【００１９】
次に、図面を参照して、本発明の第１及び第２実施形態を説明する。以下の第１及び第２実施形態における図面の記載において、同一又は類似の部分には同一又は類似の符号を付している。
【００２０】
（第１実施形態）
本発明の第１実施形態においては、８個又は１３個のセグメントを使用するデジタル音声放送を受信可能であり、１セグメントを受信する「１セグメント受信」と、３セグメントを受信する「３セグメント受信」のいずれかを実行するＯＦＤＭ受信装置について説明する。第１実施形態に係る地上デジタル放送受信端末は、図１に示すように、アンテナ１と、アンテナ１に接続されたチューナ２と、チューナ２の出力に接続されたアナログ／デジタル（Ａ／Ｄ）変換器３と、Ａ／Ｄ変換器３の出力に接続された分岐回路４ａと、分岐回路４ａの出力に接続された復調回路１００と、復調回路１００の出力に接続された誤り訂正回路９と、チューナ２、分岐回路４ａ、復調回路１００、及び誤り訂正回路９に接続された制御回路１０ａとを備える。地上デジタル放送受信端末は、映像の表示又は音声の出力の少なくとも一方を行う出力装置（図示省略）を更に備えている。出力装置は、ＭＰＥＧデコーダと、ディスプレイ又はスピーカ等を備えている。
【００２１】
チューナ２は、アンテナ１が受信したＯＦＤＭ信号を中間周波（ＩＦ）信号に変換し、所定の周波数帯域に制限する。詳細にはチューナ２は、例えば、アンテナ１に接続された高周波（ＲＦ）信号処理回路と、ＲＦ信号処理回路の出力に接続されたＩＦ信号処理回路等を備える。ＩＦ信号処理回路には、ＯＦＤＭ信号の各セグメントのうち１セグメント又は３セグメント分の周波数帯域を抽出するための２系統のＩＦフィルタが設けられている。
【００２２】
制御回路１０ａは、３セグメント受信時には３セグメント分のＩＦ信号を抽出するようチューナ２を制御し、１セグメント受信時には１セグメント分のＩＦ信号を抽出するようチューナ２を制御する。
【００２３】
Ａ／Ｄ変換器３は、チューナ２からの帯域制限されたアナログＯＦＤＭ信号ＡＳをデジタルＯＦＤＭ信号ＢＳに変換する。分岐回路４ａは、Ａ／Ｄ変換器３から得られたデジタルＯＦＤＭ信号ＢＳをヒルベルト変換することで、同相成分から直交成分を導出し、複素ＯＦＤＭ信号ＣＳを生成する。複素ＯＦＤＭ信号ＣＳは分岐回路４ａによって複数に分岐される。図１の例においては、分岐回路４ａは複素ＯＦＤＭ信号ＣＳを３つに分岐している。
【００２４】
復調回路１００は、セグメント結合回路８と、分岐回路４ａ及びセグメント結合回路８間に並列に接続された複数の（第１〜第３）セグメント復調回路２０ａ〜２０ｃとを備える。第１〜第３セグメント復調回路２０ａ〜２０ｃは、複素ＯＦＤＭ信号ＣＳを入力として、複素ＯＦＤＭ信号ＣＳからそれぞれ異なるセグメントを抽出し、抽出したセグメントをＯＦＤＭ復調する。ここで、「ＯＦＤＭ復調」とは、シンボル同期、周波数同期、及びクロック同期を確立するとともに、ＦＦＴを用いて時間領域から周波数領域へ受信信号を変換したのち、サブキャリアに割り当てられている信号を等化する処理を意味する。
【００２５】
制御回路１０ａは、第１〜第３セグメント復調回路２０ａ〜２０ｃのうち、動作させるセグメント復調回路を選択し、非選択のセグメント復調回路の動作を停止させる。例えば、制御回路１０ａは、非選択のセグメント復調回路に対する電源供給を遮断することで動作を停止させる。
【００２６】
このように、ＯＦＤＭ信号の各セグメントに対して独立したセグメント復調回路を設けることで、制御回路１０ａが、各セグメント復調回路を選択的に動作させることが可能となり、低消費電力化が実現できる。
【００２７】
また、第１セグメント復調回路２０ａは、１セグメント受信時及び３セグメント受信時において、最も高い受信品質の要求されるＡ階層のセグメントである「基本セグメント」を復調する。これに対して第２セグメント復調回路及び第３セグメント復調回路は、３セグメント受信時において、要求される受信品質がＡ階層よりも低いＢ階層のセグメントである「第１拡張セグメント」及び「第２拡張セグメント」をそれぞれ復調する。
【００２８】
制御回路１０ａは、３セグメント受信時には、第１〜第３セグメント復調回路２０ａ〜２０ｃのすべてを動作させる。これに対して１セグメント受信時には、制御回路１０ａは、第１セグメント復調回路２０ａのみを動作させ、第２及び第３セグメント復調回路２０ｂ及び２０ｃの動作を停止させる。
【００２９】
第１セグメント復調回路２０ａは、分岐回路４ａの出力に接続された第１バンドパスフィルタ（ＢＰＦ）５ａと、第１ＢＰＦ５ａの出力に接続された第１周波数変換回路６ａと、第１周波数変換回路６ａ及びセグメント結合回路８間に接続された第１ＯＦＤＭ復調回路７ａとを備える。第１ＢＰＦ５ａは、分岐された受信信号ＣＳから基本セグメントの周波数帯域成分ＤＳを抽出する。第１周波数変換回路６ａは、基本セグメントの周波数帯域成分ＤＳをベースバンド信号ＥＳに変換する。第１ＯＦＤＭ復調回路７ａは、第１周波数変換回路６ａが出力するベースバンド信号ＥＳをＯＦＤＭ復調する。
【００３０】
第２セグメント復調回路２０ｂは、分岐回路４ａの出力に接続された第２ＢＰＦ５ｂと、第２ＢＰＦ５ｂの出力に接続された第２周波数変換回路６ｂと、第２周波数変換回路６ｂ及びセグメント結合回路８間に接続された第２ＯＦＤＭ復調回路７ｂとを備える。第２ＢＰＦ５ｂは、分岐された受信信号ＣＳから第１拡張セグメントの周波数帯域成分ＦＳを抽出する。第２周波数変換回路６ｂは、第１拡張セグメントの周波数帯域成分ＦＳをベースバンド信号ＧＳに変換する。第２ＯＦＤＭ復調回路７ｂは、第２周波数変換回路６ｂが出力するベースバンド信号ＧＳをＯＦＤＭ復調する。
【００３１】
第３セグメント復調回路２０ｃは、分岐回路４ａの出力に接続された第３ＢＰＦ５ｃと、第３ＢＰＦ５ｃの出力に接続された第３周波数変換回路６ｃと、第３周波数変換回路６ｃ及びセグメント結合回路８間に接続された第３ＯＦＤＭ復調回路７ｃとを備える。第３ＢＰＦ５ｃは、分岐された受信信号ＣＳから第２拡張セグメントの周波数帯域成分ＨＳを抽出する。第３周波数変換回路６ｃは、第２拡張セグメントの周波数帯域成分ＨＳをベースバンド信号ＩＳに変換する。第３ＯＦＤＭ復調回路７ｃは、第３周波数変換回路６ｃが出力するベースバンド信号ＩＳをＯＦＤＭ復調する。
【００３２】
セグメント結合回路８は、３セグメント受信時には、第１〜第３セグメント復調回路２０ａ〜２０ｃが復調した各セグメントを結合することで、復調信号ＪＳを生成する。一方、１セグメント受信時には、セグメント結合動作を行わずに、復調信号ＪＳを誤り訂正回路９に伝達する。
【００３３】
誤り訂正回路９は、復調信号ＪＳに対してデインターリーブ処理、ビタビ復号、及びリードソロモン復号等を行い、ＭＰＥＧ２−トランスポート・ストリーム（ＴＳ）信号を生成する。デインターリーブ処理とは、伝送路での歪み等により発生した信号誤りを除去するために送信側で施した各種インターリーブ処理を戻す処理である。
【００３４】
上述したように、各セグメントの階層に応じて異なる変調及び誤り訂正が行われているため、制御回路１０ａは、３セグメント受信時にはＡ階層（基本セグメント）及びＢ階層（第１及び第２拡張セグメント）に対して階層毎に異なるデインターリーブやビタビ復号等を実行し、１グメント受信時にはＡ階層（基本セグメント）に対応する誤り訂正を実行する。
【００３５】
図１の第１〜第３ＯＦＤＭ復調回路７ａ〜７ｃの内部構成例を図２に示す。第１ＯＦＤＭ復調回路７ａは、ベースバンド信号ＥＳをＦＦＴ処理する第１ＦＦＴ回路７１ａと、第１ＦＦＴ回路７１ａの出力信号を等化する第１等化回路７２ａとを備える。同様に、第２ＯＦＤＭ復調回路７ｂは、ベースバンド信号ＧＳをＦＦＴ処理する第２ＦＦＴ回路７１ｂと、第２ＦＦＴ回路７１ｂの出力信号を等化する第２等化回路７２ｂとを備える。第３ＯＦＤＭ復調回路７ｃは、ベースバンド信号ＩＳをＦＦＴ処理する第３ＦＦＴ回路７１ｃと、第３ＦＦＴ回路７１ｃの出力信号を等化する第３等化回路７２ｃとを備える。
【００３６】
図２に示す第１〜第３ＦＦＴ回路７１ａ〜７１ｃのそれぞれは、１セグメントについてのＦＦＴを実行可能な最小限のポイント数、すなわち５１２ポイントを有しており、第１〜第３ＦＦＴ回路７１ａ〜７１ｃの合計ポイント数は１５３６ポイントである。したがって、３セグメントについてのＦＦＴを実行可能な最小限のポイント数、すなわち２０４８ポイントのＦＦＴ回路を１つ使用する場合と比較して、５１２ポイント分の冗長部を削減できる。
【００３７】
制御回路１０ａは、チューナ２、分岐回路４ａ、第１〜第３セグメント復調回路２０ａ〜２０ｃ、セグメント結合回路８、及び誤り訂正回路９に対して制御データを設定することで、チューナ２、分岐回路４ａ、第１〜第３セグメント復調回路２０ａ〜２０ｃ、セグメント結合回路８、及び誤り訂正回路９の各処理内容を制御する。制御データは、例えば表１に示すような複数のパラメータの組み合わせからなっている。
【表１】
0004740011.tif 000002
【００３８】
制御回路１０ａは、３セグメント受信を実行可能な場合には優先的に３セグメント受信用の制御データを設定するが、３セグメント受信を実行可能な場合であっても、ユーザからの入力操作等により１セグメント受信用の制御データを設定しても良い。あるいは、制御回路１０ａは、バッテリ残量を監視し、バッテリ残量が一定量以下となった場合に３セグメント受信から１セグメント受信に切り替えるように構成されていても良い。なお、ＯＦＤＭ信号に多重されている伝送制御信号（ＴＭＣＣ信号）を参照することにより、３セグメント受信を実行可能であるか否かの判断を自動的に行うことができる。
【００３９】
次に、図３に示すフローチャートを参照して、第１実施形態に係るＯＦＤＭ受信装置の動作を説明する。
【００４０】
（Ａ）先ず、３セグメント受信時の動作について説明する。図１に示すＯＦＤＭ受信装置における各信号の周波数配置例を図４〜図６に示す。
【００４１】
ステップＳ１０１において、制御回路１０ａは、１セグメント受信ではないと判定し、ステップＳ１１２に処理が進む。
【００４２】
ステップＳ１１２において、制御回路１０ａは、チューナ２、分岐回路４ａ、第１〜第３セグメント復調回路２０ａ〜２０ｃ、セグメント結合回路８、及び誤り訂正回路９に対し、３セグメント受信用の制御データを設定する。この結果、チューナ２、分岐回路４ａ、第１〜第３セグメント復調回路２０ａ〜２０ｃ、セグメント結合回路８、及び誤り訂正回路９が、３セグメント受信用の構成に設定される。
【００４３】
ステップＳ１１３において、チューナ２は、受信信号をＲＦ帯からＩＦ帯へダウンコンバートするとともに３セグメント（基本セグメント、第１拡張セグメント、及び第２
拡張セグメント）分の周波数帯域制限を行う。この結果、チューナ２は、図４（ａ）に示す周波数配置を有するアナログＯＦＤＭ信号ＡＳを出力する。図４（ａ）においては、基本セグメントがＩＦ中心周波数に配置され、第１拡張セグメントが基本セグメントの低周波数側に隣接配置され、第２拡張セグメントが基本セグメントの高周波数側に隣接配置されている。アナログＯＦＤＭ信号ＡＳはＡ／Ｄ変換器３によってデジタルＯＦＤＭ信号ＢＳに変換される。更に、分岐回路４ａは、デジタルＯＦＤＭ信号ＢＳを複素ＯＦＤＭ信号ＣＳに変換するとともに３系統に分岐する。
【００４４】
ステップＳ１１４において、図５（ａ）に示すように、複素ＯＦＤＭ信号ＣＳから基本セグメントの周波数帯域成分ＤＳが第１ＢＰＦ５ａによって抽出され、基本セグメントの周波数帯域成分ＤＳが第１周波数変換回路６ａによってベースバンド信号ＥＳに変換される。また、図５（ｂ）に示すように、複素ＯＦＤＭ信号ＣＳから第１拡張セグメントの周波数帯域成分ＦＳが第２ＢＰＦ５ｂによって抽出され、第１拡張セグメントの周波数帯域成分ＦＳが第２周波数変換回路６ｂによってベースバンド信号ＧＳに変換される。図５（ｃ）に示すように、複素ＯＦＤＭ信号ＣＳから第２拡張セグメントの周波数帯域成分ＨＳが第３ＢＰＦ５ｃによって抽出され、第２拡張セグメントの周波数帯域成分ＨＳが第２周波数変換回路６ｂによってベースバンド信号ＩＳに変換される。更に、第１〜第３ＯＦＤＭ復調回路７ａ〜７ｃは、ベースバンド信号ＥＳ，ＧＳ，及びＩＳをそれぞれＯＦＤＭ復調する。
【００４５】
ステップＳ１１５において、セグメント結合回路８は、図６に示すように、セグメント毎に分離されている復調信号を結合し、復調信号ＪＳとして出力する。
【００４６】
ステップＳ１１６において、誤り訂正回路９は、復調信号ＪＳを階層毎に誤り訂正し、ＭＰＥＧ２−ＴＳ信号を生成する。
【００４７】
（Ｂ）次に、１セグメント受信の場合について説明する。図１に示すＯＦＤＭ受信装置における各信号の周波数配置例を図７に示す。
【００４８】
ステップＳ１０１において、制御回路１０ａは、１セグメント受信であると判定し、ステップＳ１０２に処理が進む。
【００４９】
ステップＳ１０２において、制御回路１０ａは、チューナ２、分岐回路４ａ、第１〜第３セグメント復調回路２０ａ〜２０ｃ、セグメント結合回路８、及び誤り訂正回路９に対し、１セグメント受信用の制御データを設定する。この結果、チューナ２、分岐回路４ａ、第１〜第３セグメント復調回路２０ａ〜２０ｃ、セグメント結合回路８、及び誤り訂正回路９が、１セグメント受信用の構成に設定される。
【００５０】
ステップＳ１０３において、チューナ２は、受信信号をＲＦ帯からＩＦ帯へダウンコンバートするとともに１セグメント（基本セグメント）分の周波数帯域制限を行う。この結果、チューナ２は、図７（ａ）に示す周波数配置を有するアナログＯＦＤＭ信号ＡＳを出力する。図７（ａ）においては、ＩＦ中心周波数に基本セグメントが配置されている。アナログＯＦＤＭ信号ＡＳはＡ／Ｄ変換器３によってデジタルＯＦＤＭ信号ＢＳに変換される。分岐回路４ａは、デジタルＯＦＤＭ信号ＢＳを１セグメントの複素ＯＦＤＭ信号ＣＳに変換する。
【００５１】
ステップＳ１０４において、図７（ｃ）に示すように、第１周波数変換回路６ａは１セグメント分の周波数帯域成分ＣＳをベースバンド信号ＥＳに変換する。第１ＯＦＤＭ復調回路７ａは、ベースバンド信号ＥＳをＯＦＤＭ復調する。
【００５２】
ステップＳ１０４においては、第２及び第３セグメント復調回路は動作していないため、セグメント結合回路８は、セグメント結合を実行せずに、第１セグメント復調回路２０ａからの復調信号を誤り訂正回路９へ出力するためにタイミング調整等を行う。
【００５３】
ステップＳ１０６において、誤り訂正回路９は、復調信号ＪＳに対してＡ階層についてのみの誤り訂正を実行し、ＭＰＥＧ２−ＴＳ信号を生成する。
【００５４】
以上詳細に説明したように、本発明の第１実施形態に係るＯＦＤＭ受信装置によれば、ＯＦＤＭ信号の各セグメントに対して独立したセグメント復調回路を割り当てることで冗長な回路が削減でき、且つ低消費電力化が可能となる。
【００５５】
（第２実施形態）
本発明の第２実施形態においては、２つの放送サービスを同時受信できるＯＦＤＭ受信装置について説明する。以下の第２実施形態の説明においては、第１実施形態と異なる点について主に説明し、重複する説明を省略する。
【００５６】
第２実施形態に係るＯＦＤＭ受信装置は、図８に示すように、分岐回路４ｂの出力に接続された第１及び第２復調回路１００ａ及び１００ｂと、第１復調回路１００ａの出力に接続された第１誤り訂正回路９ａと、第２復調回路１００ｂの出力に接続された第２誤り訂正回路９ｂとを備えている点で、図１とは異なっている。第１及び第２復調回路１００ａ，１００ｂのそれぞれは、図１に示した復調回路１００と同様の構成を有している。
【００５７】
２つの放送サービスを同時受信せずに、１つの放送サービスのみを受信する場合には、第１復調回路１００ａ又は第２復調回路１００ｂのいずれかの動作を停止させて、第１実施形態と同様の受信動作が行われる。
【００５８】
第１復調回路１００ａ及び第１誤り訂正回路９ａは、１セグメント方式又は３セグメント方式の第１放送サービスを受信する際に使用される。第２復調回路１００ｂ及び第２誤り訂正回路９ｂは、１セグメント方式又は３セグメント方式の第２放送サービスを受信する際に使用される。すなわち、受信する放送サービスに応じて、第１復調回路１００ａ、第１誤り訂正回路９ａ、第２復調回路１００ｂ、及び第２誤り訂正回路９ｂを動作させるか否かを選択的に制御する。この結果、ＯＦＤＭ受信装置の低消費電力化が実現される。
【００５９】
具体的には、第１復調回路１００ａは、第１〜第３セグメント復調回路２０ａ〜２０ｃと、第１セグメント結合回路８ａとを備える。第１セグメント復調回路２０ａは、第１放送サービスに属する複数のセグメントのうちの第１基本セグメントをＯＦＤＭ復調する。第２及び第３セグメント復調回路２０ｂ及び２０ｃは、第１放送サービスに属する複数のセグメントのうち、第１基本セグメントと階層の異なる第２及び第３拡張セグメントをそれぞれＯＦＤＭ復調する。第１セグメント結合回路８ａは、第１放送サービスを３セグメント受信する場合に、第１〜第３セグメント復調回路２０ａ〜２０ｃがＯＦＤＭ復調した各セグメントを結合する。
【００６０】
第２復調回路１００ｂは、第４〜第６セグメント復調回路２０ｄ〜２０ｆと、第２セグメント結合回路８ｂとを備える。第４セグメント復調回路２０ｄは、第２放送サービスに属する複数のセグメントのうちの第２基本セグメントをＯＦＤＭ復調する。第５及び第６セグメント復調回路２０ｅ及び２０ｆは、第２放送サービスに属する複数のセグメントのうち、第２基本セグメントと階層の異なる第４及び第５拡張セグメントをそれぞれＯＦＤＭ復調する。第２セグメント結合回路８ｂは、第２放送サービスを３セグメント受信する場合に、第４〜第６セグメント復調回路２０ｄ〜２０ｆがＯＦＤＭ復調した各セグメントを結合する。
【００６１】
分岐回路４ｂに入力されるデジタルＯＦＤＭ信号ＢＳにおいては、第１及び第２放送サービスの各セグメントが周波数方向に図９に示すように配置される。図９においては、第１放送サービスと第２放送サービスとの間にＩＦ中心周波数が設定されている。第１基本セグメントが第１放送サービスの中央の周波数帯域に配置され、第１拡張セグメントが第１基本セグメントの低周波数側に隣接配置され、第２拡張セグメントが第１基本セグメントの高周波数側に隣接配置されている。また、第２基本セグメントが第２放送サービスの中央の周波数帯域に配置され、第３拡張セグメントが第２基本セグメントの低周波数側に隣接配置され、第４拡張セグメントが第２基本セグメントの高周波数側に隣接配置されている。
【００６２】
制御回路１０ｂは、２つの放送サービスを同時受信するために、表２に示すように、（１）第１及び第２放送サービスの両方を１セグメント受信する場合（以下「第１受信モード」という）、（２）第１及び第２放送サービスの両方を３セグメント受信する場合（以下「第２受信モード」という）、（３）第１放送サービスを１セグメント受信し、第２放送サービスを３セグメント受信する場合（以下「第３受信モード」という）、（４）第１放送サービスを３セグメント受信し、第２放送サービスを１セグメント受信する場合（以下「第４受信モード」という）の合計４パターンの制御データを保持している。
【表２】
0004740011.tif 000003
【００６３】
なお、第１受信モードにおけるチューナでの抽出セグメント数を“６”としているが、図９の第１基本セグメント、第２拡張セグメント、第３拡張セグメント、及び第２基本セグメントの４つのセグメントのみを抽出するように構成されていても良い。
【００６４】
次に、図１０に示すフローチャートを参照して、第２実施形態に係るＯＦＤＭ受信装置の動作を説明する。
【００６５】
（Ａ）先ず、第１受信モード時の動作について説明する。
【００６６】
ステップＳ２０１において、制御回路１０ｂは、第１及び第２放送サービスの両方を受信すると判定し、ステップＳ２０２に処理が進む。第１及び第２放送サービスの両方を受信するか否かは、例えばユーザからの入力操作等によって選択される。
【００６７】
ステップＳ２０２において、制御回路１０ｂは、第１及び第２放送サービスの両方を１セグメント受信すると判定し、ステップＳ２０４に処理が進む。
【００６８】
ステップＳ２０４において、制御回路１０ｂは、チューナ２と、分岐回路４ｂと、第１〜第６セグメント復調回路２０ａ〜２０ｆと、第１及び第２セグメント結合回路８ａ及び８ｂと、第１及び第２誤り訂正回路９ａ及び９ｂとに対し、表２の第１受信モードを示す制御データを設定する。
【００６９】
ステップＳ２０５において、チューナ２は、受信信号をＲＦ帯からＩＦ帯へダウンコンバートするとともに６セグメント（第１及び第２基本セグメント、第１〜第４拡張セグメント）分の周波数帯域制限を行う。アナログＯＦＤＭ信号ＡＳはＡ／Ｄ変換器３によってデジタルＯＦＤＭ信号ＢＳに変換される。更に、分岐回路４ｂは、デジタルＯＦＤＭ信号ＢＳを複素ＯＦＤＭ信号に変換するとともに６系統に分岐する。
【００７０】
ステップＳ２０６において、複素ＯＦＤＭ信号から第１基本セグメントの周波数帯域成分が第１ＢＰＦ５ａによって抽出され、第１基本セグメントの周波数帯域成分が第１周波数変換回路６ａによってベースバンド信号に変換される。更に、複素ＯＦＤＭ信号から第２基本セグメントの周波数帯域成分が第４ＢＰＦ５ｄによって抽出され、第２基本セグメントの周波数帯域成分が第４周波数変換回路６ｄによってベースバンド信号に変換される。この結果、第１及び第４ＯＦＤＭ復調回路７ａ及び７ｄは、第１及び第４周波数変換回路６ａ及び６ｄからのベースバンド信号をそれぞれＯＦＤＭ復調する。
【００７１】
ステップＳ２０７において、第１セグメント結合回路８ａは、セグメント結合を実行せずに、第１ＯＦＤＭ復調回路７ａからの復調信号を第１誤り訂正回路９ａへ出力するためにタイミング調整等を行う。同様に、第２セグメント結合回路８ｂは、セグメント結合を実行せずに、第４ＯＦＤＭ復調回路７ｄからの復調信号を第２誤り訂正回路９ｂへ出力するためにタイミング調整等を行う。
【００７２】
ステップＳ２０８において、第１及び第２誤り訂正回路９ａ及び９ｂは、供給された各復調信号に対してＡ階層についてのみの誤り訂正を実行し、ＭＰＥＧ２−ＴＳ信号をそれぞれ生成する。
【００７３】
（Ｂ）次に、第２受信モード時の動作について説明する。
【００７４】
ステップＳ２０１において、制御回路１０ｂは、第１及び第２放送サービスの両方を受信すると判定し、ステップＳ２０２に処理が進む。
【００７５】
ステップＳ２０２において、制御回路１０ｂは、第１及び第２放送サービスの両方を１セグメント受信しないと判定し、ステップＳ２１３に処理が進む。
【００７６】
ステップＳ２１３において、制御回路１０ｂは、第１及び第２放送サービスの両方を３セグメント受信すると判定し、ステップＳ２１４に処理が進む。
【００７７】
ステップＳ２１４において、制御回路１０ｂは、チューナ２と、分岐回路４ｂと、第１〜第６セグメント復調回路２０ａ〜２０ｆと、第１及び第２セグメント結合回路８ａ及び８ｂと、第１及び第２誤り訂正回路９ａ及び９ｂとに対し、表２の第２受信モードを示す制御データを設定する。
【００７８】
ステップＳ２１５において、チューナ２は、受信信号をＲＦ帯からＩＦ帯へダウンコンバートするとともに６セグメント分の周波数帯域制限を行う。アナログＯＦＤＭ信号ＡＳはＡ／Ｄ変換器３によってデジタルＯＦＤＭ信号ＢＳに変換される。更に、分岐回路４ｂは、デジタルＯＦＤＭ信号ＢＳを複素ＯＦＤＭ信号に変換するとともに６系統に分岐する。
【００７９】
ステップＳ２１６において、複素ＯＦＤＭ信号から第１基本セグメントの周波数帯域成分ＤＳが第１ＢＰＦ５ａによって抽出され、第１基本セグメントの周波数帯域成分が第１周波数変換回路６ａによってベースバンド信号に変換される。また、複素ＯＦＤＭ信号から第１拡張セグメントの周波数帯域成分が第２ＢＰＦ５ｂによって抽出され、第１拡張セグメントの周波数帯域成分が第２周波数変換回路６ｂによってベースバンド信号に変換される。複素ＯＦＤＭ信号から第２拡張セグメントの周波数帯域成分が第３ＢＰＦ５ｃによって抽出され、第２拡張セグメントの周波数帯域成分が第２周波数変換回路６ｃによってベースバンド信号に変換される。複素ＯＦＤＭ信号から第２基本セグメントの周波数帯域成分が第４ＢＰＦ５ｄによって抽出され、第２基本セグメントの周波数帯域成分が第１周波数変換回路６ｄによってベースバンド信号に変換される。複素ＯＦＤＭ信号から第３拡張セグメントの周波数帯域成分が第５ＢＰＦ５ｅによって抽出され、第３拡張セグメントの周波数帯域成分が第５周波数変換回路６ｅによってベースバンド信号に変換される。複素ＯＦＤＭ信号から第４拡張セグメントの周波数帯域成分が第６ＢＰＦ５ｆによって抽出され、第４拡張セグメントの周波数帯域成分が第６周波数変換回路６ｆによってベースバンド信号に変換される。更に、第１〜第６ＯＦＤＭ復調回路７ａ〜７ｆは、各ベースバンド信号をそれぞれＯＦＤＭ復調する。
【００８０】
ステップＳ２１７において、第１セグメント結合回路８ａは、第１〜第３ＯＦＤＭ復調回路７ａ〜７ｃからの復調信号を受け取り、セグメント毎に分離されている復調信号を結合して出力する。第２セグメント結合回路８ｂは、第４〜第６ＯＦＤＭ復調回路７ｄ〜７ｆからの復調信号を受け取り、セグメント毎に分離されている復調信号を結合して出力する。
【００８１】
ステップＳ２１８において、第１及び第２誤り訂正回路９ａ及び９ｂは、各復調信号に対してＡ階層及びＢ階層についての誤り訂正を実行し、ＭＰＥＧ２−ＴＳ信号をそれぞれ生成する。
【００８２】
（Ｃ）次に、第３受信モード時の動作について説明する。
【００８３】
ステップＳ２０１において、制御回路１０ｂは、第１及び第２放送サービスの両方を受信すると判定し、ステップＳ２０２に処理が進む。
【００８４】
ステップＳ２０２において、制御回路１０ｂは、第１及び第２放送サービスの両方を１セグメント受信しないと判定し、ステップＳ２１３に処理が進む。
【００８５】
ステップＳ２１３において、制御回路１０ｂは、第１及び第２放送サービスの両方を３セグメント受信しないと判定し、ステップＳ２２３に処理が進む。
【００８６】
ステップＳ２２３において、制御回路１０ｂは、第１放送サービスを１セグメント受信し、第２放送サービスを３セグメント受信すると判定し、ステップＳ２２４に処理が進む。
【００８７】
ステップＳ２２４において、制御回路１０ｂは、チューナ２と、分岐回路４ｂと、第１〜第６セグメント復調回路２０ａ〜２０ｆと、第１及び第２セグメント結合回路８ａ及び８ｂと、第１及び第２誤り訂正回路９ａ及び９ｂとに対し、表２の第３受信モードを示す制御データを設定する。
【００８８】
ステップＳ２２５において、チューナ２は、受信信号をＲＦ帯からＩＦ帯へダウンコンバートするとともに６セグメント分の周波数帯域制限を行う。アナログＯＦＤＭ信号ＡＳはＡ／Ｄ変換器３によってデジタルＯＦＤＭ信号ＢＳに変換される。更に、分岐回路４ｂは、デジタルＯＦＤＭ信号ＢＳを複素ＯＦＤＭ信号に変換するとともに６系統に分岐する。
【００８９】
ステップＳ２２６において、複素ＯＦＤＭ信号から第１基本セグメントの周波数帯域成分ＤＳが第１ＢＰＦ５ａによって抽出され、第１基本セグメントの周波数帯域成分が第１周波数変換回路６ａによってベースバンド信号に変換される。複素ＯＦＤＭ信号から第２基本セグメントの周波数帯域成分が第４ＢＰＦ５ｄによって抽出され、第２基本セグメントの周波数帯域成分が第１周波数変換回路６ｄによってベースバンド信号に変換される。複素ＯＦＤＭ信号から第３拡張セグメントの周波数帯域成分が第５ＢＰＦ５ｅによって抽出され、第３拡張セグメントの周波数帯域成分が第５周波数変換回路６ｅによってベースバンド信号に変換される。複素ＯＦＤＭ信号から第４拡張セグメントの周波数帯域成分が第６ＢＰＦ５ｆによって抽出され、第４拡張セグメントの周波数帯域成分が第６周波数変換回路６ｆによってベースバンド信号に変換される。更に、第１，第４，第５，及び第６ＯＦＤＭ復調回路７ａ，７ｄ，７ｅ，及び７ｆは、各ベースバンド信号をそれぞれＯＦＤＭ復調する。
【００９０】
ステップＳ２２７において、第１セグメント結合回路８ａは、セグメント結合を実行せずに、第１ＯＦＤＭ復調回路７ａからの復調信号を第１誤り訂正回路９ａへ出力するためにタイミング調整等を行う。第２セグメント結合回路８ｂは、第４〜第６ＯＦＤＭ復調回路７ｄ〜７ｆからの復調信号を受け取り、セグメント毎に分離されている復調信号を結合して出力する。
【００９１】
ステップＳ２２８において、第１誤り訂正回路９ａは、復調信号に対してＡ階層についてのみの誤り訂正を実行し、ＭＰＥＧ２−ＴＳ信号を生成する。第２誤り訂正回路９ｂは、復調信号に対してＡ階層及びＢ階層についての誤り訂正を実行し、ＭＰＥＧ２−ＴＳ信号を生成する。
【００９２】
（Ｄ）次に、第４受信モード時の動作について説明する。
【００９３】
ステップＳ２０１において、制御回路１０ｂは、第１及び第２放送サービスの両方を受信すると判定し、ステップＳ２０２に処理が進む。
【００９４】
ステップＳ２０２において、制御回路１０ｂは、第１及び第２放送サービスの両方を１セグメント受信しないと判定し、ステップＳ２１３に処理が進む。
【００９５】
ステップＳ２１３において、制御回路１０ｂは、第１及び第２放送サービスの両方を３セグメント受信しないと判定し、ステップＳ２２３に処理が進む。
【００９６】
ステップＳ２２３において、制御回路１０ｂは、第１放送サービスを３セグメント受信し、第２放送サービスを１セグメント受信すると判定し、ステップＳ２３４に処理が進む。
【００９７】
ステップＳ２３４において、制御回路１０ｂは、チューナ２と、分岐回路４ｂと、第１〜第６セグメント復調回路２０ａ〜２０ｆと、第１及び第２セグメント結合回路８ａ及び８ｂと、第１及び第２誤り訂正回路９ａ及び９ｂとに対し、表２の第４受信モードを示す制御データを設定する。
【００９８】
ステップＳ２３５において、チューナ２は、受信信号をＲＦ帯からＩＦ帯へダウンコンバートするとともに６セグメント分の周波数帯域制限を行う。アナログＯＦＤＭ信号ＡＳはＡ／Ｄ変換器３によってデジタルＯＦＤＭ信号ＢＳに変換される。更に、分岐回路４ｂは、デジタルＯＦＤＭ信号ＢＳを複素ＯＦＤＭ信号に変換するとともに６系統に分岐する。
【００９９】
ステップＳ２３６において、複素ＯＦＤＭ信号から第１基本セグメントの周波数帯域成分ＤＳが第１ＢＰＦ５ａによって抽出され、第１基本セグメントの周波数帯域成分が第１周波数変換回路６ａによってベースバンド信号に変換される。また、複素ＯＦＤＭ信号から第１拡張セグメントの周波数帯域成分が第２ＢＰＦ５ｂによって抽出され、第１拡張セグメントの周波数帯域成分が第２周波数変換回路６ｂによってベースバンド信号に変換される。複素ＯＦＤＭ信号から第２拡張セグメントの周波数帯域成分が第３ＢＰＦ５ｃによって抽出され、第２拡張セグメントの周波数帯域成分が第２周波数変換回路６ｃによってベースバンド信号に変換される。複素ＯＦＤＭ信号から第２基本セグメントの周波数帯域成分が第４ＢＰＦ５ｄによって抽出され、第２基本セグメントの周波数帯域成分が第１周波数変換回路６ｄによってベースバンド信号に変換される。更に、第１〜第４ＯＦＤＭ復調回路７ａ〜７ｄは、各ベースバンド信号をそれぞれＯＦＤＭ復調する。
【０１００】
ステップＳ２３７において、第１セグメント結合回路８ａは、第１〜第３ＯＦＤＭ復調回路７ａ〜７ｃからの復調信号を受け取り、セグメント毎に分離されている復調信号を結合して出力する。第２セグメント結合回路８ｂは、セグメント結合を実行せずに、第４ＯＦＤＭ復調回路７ｄからの復調信号を第２誤り訂正回路９ｂへ出力するためにタイミング調整等を行う。
【０１０１】
ステップＳ２３８において、第１誤り訂正回路９ａは、復調信号に対してＡ階層及びＢ階層についての誤り訂正を実行し、ＭＰＥＧ２−ＴＳ信号を生成する。第２誤り訂正回路９ｂは、復調信号に対してＡ階層についてのみの誤り訂正を実行し、ＭＰＥＧ２−ＴＳ信号を生成する。
【０１０２】
（Ｅ）最後に、２つの放送サービスを同時受信せずに、１つの放送サービスのみを受信する場合について説明する。
【０１０３】
ステップＳ２０１において、制御回路１０ｂは、第１及び第２放送サービスの両方を受信しないと判定し、ステップＳ２０３に処理が進む。
【０１０４】
ステップＳ２０３において、制御回路１０ｂは、第１復調回路１００ａ又は第２復調回路１００ｂのいずれかの動作を停止させる。第１復調回路１００ａ又は第２復調回路１００ｂのいずれかの動作を停止させるかは、受信する放送サービスに応じて決定される。
【０１０５】
ステップＳ１００において、図３のステップＳ１００と同様の受信動作が実行される。
【０１０６】
このように、第２実施形態に係るＯＦＤＭ受信装置によれば、複数の放送サービスを同時受信可能としながらも、消費電力及び回路規模の増大を抑制可能としている。
【０１０７】
（その他の実施形態）
上記のように、本発明は第１及び第２実施形態によって記載したが、この開示の一部をなす論述及び図面はこの発明を限定するものであると理解すべきではない。この開示から当業者には様々な代替実施形態、実施例及び運用技術が明らかとなろう。
【０１０８】
上述した第１実施形態において、分岐回路４ａが、図１１に示すように、１セグメント受信時には、１セグメント分の複素ＯＦＤＭ信号ＫＳを第１ＢＰＦ５ａに入力せずに、第１周波数変換回路６ａに入力する構成としても良い。チューナ２にて基本セグメントの周波数帯域成分のみを抽出可能であるため、第１ＢＰＦ５ａを使用する必要がないためである。したがって、１セグメント受信時には、第２及び第３セグメント復調回路２０ａ及び２０ｂに加えて、第１ＢＰＦ５ａの動作を停止させることにより、１セグメント受信時における消費電力を更に削減できる。
【０１０９】
第２実施形態においては、２つの放送サービスを同時受信する構成について説明したが、３つ以上の放送サービスを同時受信する構成としても構わない。３つ以上の放送サービスを同時受信する場合、図８に示した第１及び第２復調回路１００ａ，１００ｂに加えて、第３〜第ｎ復調回路が設けられる（ｎ；４以上の整数）。
【０１１０】
第１実施形態に係るＡ／Ｄ変換器３、分岐回路４ａ、復調回路１００、誤り訂正回路９、及び制御回路１０ａは、同一の半導体チップ上にモノリシックに集積化し、半導体集積回路として構成できる。
【０１１１】
同様に、第２実施形態に係るＡ／Ｄ変換器３、分岐回路４ｂ、第１復調回路１００ａ、第２復調回路１００ｂ、第１誤り訂正回路９ａ、第２誤り訂正回路９ｂ、及び制御回路１０ｂは、同一の半導体チップ上にモノリシックに集積化し、半導体集積回路として構成できる。
【０１１２】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１１３】
【図１】本発明の第１実施形態に係るＯＦＤＭ受信装置の構成例を示すブロック図である。
【図２】本発明の第１実施形態に係る第１〜第３ＯＦＤＭ復調回路の内部構成例を示すブロック図である。
【図３】本発明の第１実施形態に係るＯＦＤＭ受信装置の動作例を示すフローチャートである。
【図４】本発明の第１実施形態に係るＯＦＤＭ受信装置の３セグメント受信時における受信信号の周波数配置を示す模式図である。
【図５】本発明の第１実施形態に係るＯＦＤＭ受信装置の３セグメント受信時における受信信号の周波数配置を示す模式図である。
【図６】本発明の第１実施形態に係るＯＦＤＭ受信装置の３セグメント受信時における受信信号の周波数配置を示す模式図である。
【図７】本発明の第１実施形態に係るＯＦＤＭ受信装置の１セグメント受信時における受信信号の周波数配置を示す模式図である。
【図８】本発明の第２実施形態に係るＯＦＤＭ受信装置の構成例を示すブロック図である。
【図９】本発明の第２実施形態に係るＯＦＤＭ受信装置の６セグメント受信時における受信信号の周波数配置を示す模式図である。
【図１０】本発明の第２実施形態に係るＯＦＤＭ受信装置の動作例を示すフローチャートである。
【図１１】その他の実施形態に係るＯＦＤＭ受信装置の構成例を示すブロック図である。
【符号の説明】
【０１１４】
１…アンテナ
２…チューナ
３…Ａ／Ｄ変換器
４ａ，４ｂ…分岐回路
６ａ…第１周波数変換回路
６ｂ…第２周波数変換回路
６ｃ…第３周波数変換回路
６ｄ…第４周波数変換回路
６ｅ…第５周波数変換回路
６ｆ…第６周波数変換回路
７ａ…第１ＯＦＤＭ復調回路
７ｂ…第２ＯＦＤＭ復調回路
７ｃ…第３ＯＦＤＭ復調回路
７ｄ…第４ＯＦＤＭ復調回路
７ｅ…第５ＯＦＤＭ復調回路
７ｆ…第６ＯＦＤＭ復調回路
８…セグメント結合回路
８ａ…第１セグメント結合回路
８ｂ…第２セグメント結合回路
９…誤り訂正回路
９ａ…第１誤り訂正回路
９ｂ…第２誤り訂正回路
１０ａ，１０ｂ…制御回路
２０ａ…第１セグメント復調回路
２０ｂ…第２セグメント復調回路
２０ｃ…第３セグメント復調回路
２０ｄ…第４セグメント復調回路
２０ｅ…第５セグメント復調回路
２０ｆ…第６セグメント復調回路
７１ａ…第１ＦＦＴ回路
７１ｂ…第２ＦＦＴ回路
７１ｃ…第３ＦＦＴ回路
７２ａ…第１等化回路
７２ｂ…第２等化回路
７２ｃ…第３等化回路
１００…復調回路
１００ａ…第１復調回路
１００ｂ…第２復調回路
【図１】
0004740011.tif 000004
【図２】
0004740011.tif 000005
【図３】
0004740011.tif 000006
【図４】
0004740011.tif 000007
【図５】
0004740011.tif 000008
【図６】
0004740011.tif 000009
【図７】
0004740011.tif 000010
【図８】
0004740011.tif 000011
【図９】
0004740011.tif 000012
【図１０】
0004740011.tif 000013
【図１１】
0004740011.tif 000014